(57)【要約】      （修正有）【課題】既存のタイプライターのプラテンロールを利用して値札等の被印字用シート状小片を確実に保持できる装置を提供する。【解決手段】プラテンロール３に並べて配置した押え材９の両端と前記プラテンロール３の支軸３ａとの間にコイルスプリング１３を張設する。そして、コイルスプリング１３の付勢によって前記プラテンロール３の周側面に圧接して被印字用シート状小片の一側を前記周側面に押え付ける押え片１０を前記押え材９に設ける。また、プラテンロール３の周側面には前記一側に対応する他の一側の挟持部７を設ける。【選択図】図３
2008049655.tif 000002
【特許請求の範囲】
【請求項１】
プラテンロールに並べて配置した押え材の両端と前記プラテンロールの支軸との間にコイルスプリングを張設し、該コイルスプリングの付勢によって前記プラテンロールの周側面に圧接して被印字用シート状小片の一側を前記周側面に押え付ける押え片を前記押え材に設けると共に、プラテンロールの周側面には前記一側に対応する他の一側の挟持部を設けた、タイプライターにおける被印字用シート状小片の保持装置。
【発明の詳細な説明】
【技術分野】
【０００１】
本発明は、例えば、宝飾品の価格表示に用いられている値札等のシート状の紙小片に表示価格を印字する際に適用するに好適な、タイプライターにおける被印字用シート状小片の保持装置に関するものである。
【背景技術】
【０００２】
プラテンロール側に値札の一端の挟持部を設け、タイプライタボデー側に面状ファスナーを装置してこれに前記値札の下げ紐を止着するようにした構造のものがある（例えば、特許文献１）。
【０００３】
【特許文献１】実開平４−６９１４９号公報
【発明の開示】
【発明が解決しようとする課題】
【０００４】
前記従来構造のものは、値札に備えた下げ紐を利用してプラテンロール周面に当該値札を保持するものであるから、下げ紐を備えていないものには適用できないし、構成上、値札をプラテンロール周面に圧接するものでないから、保持状態が安定しにくく、所期の目的である鮮明にして美麗な印字状態を得にくい。
【０００５】
本発明は斯様な従来例の欠点に着目し、既存のタイプライタのプラテンロールを利用して値札等の、被印字用のシート状小片を確実に保持できる装置を提供することを目的として創案したものである。
【課題を解決するための手段】
【０００６】
プラテンロールに並べて配置した押え材の両端と前記プラテンロールの支軸との間にコイルスプリングを張設し、該コイルスプリングの付勢によって前記プラテンロールの周側面に圧接して被印字用シート状小片の一側を前記周側面に押え付ける押え片を前記押え材に設けると共に、プラテンロールの周側面には前記一側に対応する他の一側の挟持部を設けた構成としたものである。
【発明の効果】
【０００７】
本発明によれば、プラテンロールの周側の円弧形に沿わせてシート状小片を保持できる構成を採るから、該保持状態は安定し、従って、印字装置による印字を鮮明にして美麗に行うことができる。また、押え材とプラテンロールはコイルスプリングによって互いに組付けた構成を採るものであるから、プラテンロールの周側面に沿って押え材すなわち押え片の位置を自在に変えることができるから種々の大きさの被印字用小片に対応でき、紐付きの値札に対しても紐を押え片で押えられるから支障なく印字操作を行うことができる。
【実施例】
【０００８】
図面は本発明に係るタイプライターにおける被印字用シート状小片の保持装置の一実施例を示し、図１は本発明要部の正面図、図２は図１のａ−ａ線断面図、図３は図１のｂ−ｂ線断面図、図４はタイプライターの平面図である。
【０００９】
図中Ａはタイプライターで、タイプライターＡは公知構造のもので、キーボード１中の所望のキー１ａを指先で押すことにより、印字装置２が順次移動してプラテンロール３の周面上に配置した値札Ｓに所望の文字、図形を印字するようにしてある。
【００１０】
プラテンロール３は、その支軸３ａに設けたノブ４によって回動させて、プラテンロール上３の前記値札Ｓを前記印字装置２に自在に正対できるようにしてある。
【００１１】
このプラテンロール３の周側の適所には前記支軸３ａに沿わせて（軸線方向に）長い切欠５を設け、該切欠５に取付け部片６ｂと挟持部片６ａとで成る樹脂製の挟持片６を取付けて前記値札Ｓの下端部の挟持部７を設けてある。
【００１２】
挟持片６は長方形（帯状）平板で成る取付部片６ｂの長手方向に沿う一端に挟持部片６ａを折り曲げ状にして連設して構成し、挟持部片６ａがプラテンロール３の周側面に接して重なり合う位置に配するようにして取付部片６ｂを前記切欠５に係合して該切欠５の直面５ａに重ね合わせてねじ８でプラテンロール３に止着したもので、この挟持片６の挟持部片６ａとプラテンロール３との間の隙間を、挟持部片６ａの自由端側を開口端とする前記挟持部７としたものである。
【００１３】
図中、９は押え材で、押え材９は前記プラテンロール３とほぼ同長の主体杆９Ａの両端に部片９ａを前記支軸３に沿わせて突設する一方、主体杆９Ａの長手方向に沿う一端、すなわち、前記挟持部片６ａの自由端と対峙する側の一端に押え片１０を、他の一端側の前記両端部側にそれぞれ接触片１１を設けて構成したものである。
【００１４】
そして、押え材９は、主体杆９Ａ部をプラテンロール３の長手方向に沿わせて配して、前記各部片９ａに設けた係止孔１２にそれぞれコイルスプリング１３の一端を係止し、コイルスプリング１３の他の一端をプラテンロール３の端部より突出する支軸３ａ部に係止するようにしてプラテンロール３に組合わせたものである。
【００１５】
すなわち、押え材９は、その長手方向の両端それぞれとプラテンロール３側の支軸３ａ部間に張設したコイルスプリング１３によってプラテンロール３の半径方向に移動付勢され、この付勢によって前記押え片１０と接触片１１がプラテンロール３の周側面に強制的に接触し（圧接し）、プラテンロール３との組付け状態が安定的に保たれる。
【００１６】
前記押え片１０は組付け部片１０ｂの一端に角度を持たせて連設した押え部片１０ａとで成る樹脂製の断面への字形体で構成し、接続部片１０ｂを前記主体杆９Ａに止着し（実施例では接着し）、該接続部片１０ｂに突設状にして連設した押え部片１０ａの自由端側をプラテンロール３に装置した前記挟持部片６ａの自由端と相対峙する側に突設させ、押え部片１０ａとプラテンロール３とで前記値札Ｓの上端部側を挟持するようにしたものである。
【００１７】
しかして、挟持部片６ａとプラテンロール３との間にすなわち挟持部７に値札Ｓの下端部Ｓ´を挟持部片６ａの弾性を利用して挟装すると、該下端部は挟持部片６ａとプラテンロール３（の周側面）とで挟持され、また、値札Ｓの上端部Ｓ´´をプラテンロール３の周側に沿わせて適宜位置に移動させた押え片１０（押え部片１０ａ）とプラテンロール３の周側面との間に介在させると、該上端部Ｓ´´はコイルスプリング１３の付勢によって押え片１０によってプラテンロール３周側面に押え付けられ、値札Ｓはプラテンロール３周側面上に安定的に配置され、該値札Ｓに対する印字装置２による印字操作が円滑に行われるのである。
【００１８】
なお、押え材９の（押え片１０）のプラテンロール３の周側面に沿う（円周方向の）移動は、両コイルスプリング１３，１３の付勢に抗して押え材９をプラテンロール３から離開する方向に移動させ、プラテンロール３を回動させるか、プラテンロール３の周側面に沿う方向に押え材９を移動させ、コイルスプリング１３の付勢を利用して押え材９をプラテンロール３に再び接触させることにより行うことができ、この操作を行うことにより、押え部片１０ａと挟持部片６ａ間の離開距離を調節でき、被印字用のシート状小片（実施例では値札）の大きさに対応することができる。
【図面の簡単な説明】
【００１９】
【図１】本発明要部の正面図。
【図２】図１のａ−ａ線断面図。
【図３】図１のｂ−ｂ線断面図。
【図４】タイプライターの平面図。
【符号の説明】
【００２０】
３      プラテンロール
３ａ    支軸
７      挟持部
９      押え材
１０    押え片
１３    コイルスプリング
【図１】
2008049655.tif 000003
【図２】
2008049655.tif 000004
【図３】
2008049655.tif 000005
【図４】
2008049655.tif 000006